(57)【特許請求の範囲】
【請求項１】
浴室の天井部に設置される暖房機本体内に、暖房用通風路と、暖房用通風路を介して浴室の空気を循環させる暖房用ファンと、暖房用通風路に流れる空気を加熱する加熱手段とを備え、暖房用通風路の下流端の暖房用吹き出し口が浴室内に向けて下向きに開口している浴室暖房機であって、暖房機本体内に、ミスト用通風路と、ミスト用通風路を介して浴室の空気を循環させるミスト用ファンと、ミスト用通風路内に温水を噴霧するミストノズルとが付設されているものにおいて、
ミスト用通風路を構成するダクトの一側の側壁部が暖房用吹き出し口の直下部の側方に位置し、この側壁部の上部に、ミスト用通風路の下流端のミスト用吹き出し口が暖房用吹き出し口の直下部に向けて横向きに開口するように形成されることを特徴とするミストサウナ機能付き浴室暖房機。
【請求項２】
前記暖房用ファンの回転が検知されない限り前記ミストノズルからの温水噴霧を禁止する手段を備えることを特徴とする請求項１記載のミストサウナ機能付き浴室暖房機。
【請求項３】
前記ミスト用通風路内に溜まる水を排水する排水路を備え、排水路に排水ポンプが介設されていることを特徴とする請求項１又は２記載のミストサウナ機能付き浴室暖房機。
【発明の詳細な説明】
【技術分野】
【０００１】
本発明は、浴室の天井部に設置される暖房機本体内に、暖房用通風路と、暖房用通風路を介して浴室の空気を循環させる暖房用ファンと、暖房用通風路に流れる空気を加熱する加熱手段とを備える浴室暖房機であって、ミストサウナ機能付きのものに関する。
【背景技術】
【０００２】
従来、この種のミストサウナ機能付き浴室暖房機では、一般的に、暖房機本体の下面にミストノズルを設置し、加熱手段で加熱された空気を暖房用通風路の下流端の下向きに開口する暖房用吹出し口から温風として浴室内に送風すると共に、ミストノズルから浴室内に温水を噴霧して、浴室内を高温多湿のミストサウナ状態にするようにしている。
【０００３】
ところで、ミストノズルから噴霧されるミストの粒径は一定ではなく、粒径の大きな水滴状のミストもミストノズルから噴霧される。そして、上記従来例のものでは、ミストノズルから浴室内に温水が直接噴霧されるため、粒径の大きな水滴状ミストが入浴者に当たって不快感を与えることがある。
【０００４】
かかる不具合を解消するため、従来、ミスト機能付き浴室暖房機として、暖房機本体内に、暖房用通風路、暖房用ファン及び加熱手段に加えて、ミスト用通風路と、ミスト用通風路を介して浴室の空気を循環させるミスト用ファンと、ミスト用通風路内に温水を噴霧するミストノズルとを付設し、ミスト用通風路の下流端のミスト用吹き出し口からミストを含む空気を浴室内に送風するようにしたものが特許文献１で知られている。
【０００５】
尚、特許文献１に記載のものでは、ミストノズルから噴霧されるミストをミスト用ファンに衝突させて、ミストを微細化するようにしているが、ミスト用ファンによるミストの微細化は必要不可欠ではない。即ち、ミスト用通風路内にミストを噴霧すれば、粒径の大きなミストはミスト用通風路内の気流に乗り切れず、ミスト用通風路の壁面に付着して捕集される。そのため、ミスト用ファンによりミストを微細化しなくても、ミスト用吹き出し口から浴室内に送風される空気中のミストはほぼ粒径の小さなものに限定され、水滴状のミストが入浴者に当たることを防止できる。
【０００６】
ところで、特許文献１に記載のものでは、ミスト用吹き出し口を暖房用吹き出し口に隣接させて下向きに開口させている。そのため、以下の不具合を生ずる。即ち、ミスト用通風路の壁面はミストの結露で濡れた状態になり、結露水が下向きに開口するミスト用吹き出し口から浴室内に水滴となって落下してしまう。また、ミスト用吹き出し口から吹き出されるミストの一部はミスト用吹き出し口に隣接する暖房用吹き出し口から吹き出される温風に乗るが、その量は僅かであり、ミストを浴室内に行渡らせるには、ミスト用ファンの送風能力を高くすることが必要になる。そのため、ミスト用ファンが大型化して浴室暖房機のコンパクト化を図ることが困難になる。また、ミスト用ファンの送風能力を高くすると、ミスト用通風路の気流が強くなり、ミスト用ファンによるミストの微細化を行わない場合、気流に乗って比較的粒径の大きなミストまでが浴室内に吹き出されてしまう。
【特許文献１】特開２００６−２５９６６号公報
【発明の開示】
【発明が解決しようとする課題】
【０００７】
本発明は、以上の点に鑑み、ミスト用吹き出し口からの水滴の落下を防止し、且つ、ミスト用ファンの送風能力を高くしなくても浴室内にミストを行渡らせることができるようにしたミストサウナ機能付き浴室暖房機を提供することをその課題としている。
【課題を解決するための手段】
【０００８】
上記課題を解決するために、本発明は、浴室の天井部に設置される暖房機本体内に、暖房用通風路と、暖房用通風路を介して浴室の空気を循環させる暖房用ファンと、暖房用通風路に流れる空気を加熱する加熱手段とを備え、暖房用通風路の下流端の暖房用吹き出し口が浴室内に向けて下向きに開口している浴室暖房機であって、暖房機本体内に、ミスト用通風路と、ミスト用通風路を介して浴室の空気を循環させるミスト用ファンと、ミスト用通風路内に温水を噴霧するミストノズルとが付設されているものにおいて、ミスト用通風路を構成するダクトの一側の側壁部が暖房用吹き出し口の直下部の側方に位置し、この側壁部の上部に、ミスト用通風路の下流端のミスト用吹き出し口が暖房用吹き出し口の直下部に向けて横向きに開口するように形成されていることを特徴とする。
【０００９】
本発明によれば、ミスト用通風路の壁面でミストが結露しても、ミスト用吹き出し口は横向きに開口しているため、ミスト用吹き出し口から結露水が水滴となって落下することはない。更に、暖房用吹き出し口からの温風に暖房用吹き出し口の直下部においてミスト用吹き出し口からのミストが混入される。そのため、ミスト用ファンの送風能力を高くしなくても、ミストは暖房用吹き出し口からの温風に乗って確実に浴室内に行渡る。従って、ミスト用ファンを小型化して浴室暖房機のコンパクト化を図ることができる。また、ミスト用ファンの送風能力を高くせずに済むため、ミスト用通風路の気流が強くなり過ぎて、比較的粒径の大きなミストまでが浴室内に吹き出されてしまうことを防止できる。
【００１０】
尚、暖房用吹き出し口から空気が吹き出されていない状態でミスト用吹き出し口からミストが吹き出されると、暖房用吹き出し口の周りにミストが結露し、水滴となって浴室内に落下してしまう。これを防止するため、本発明においては、暖房用ファンの回転が検知されない限りミストノズルからの温水噴霧を禁止する手段を備えることが望ましい。
【００１１】
ところで、ミスト用通風路内には結露水が溜まるため、この水を排水する排水路を設けることが望まれる。この場合、排水路に排水ポンプが介設されていれば、天井裏の梁等の障害物を乗り越えるようにして排水路を配設しても、ミスト用通風路内の水を排水ポンプの揚程で排水できる。そのため、排水路の配管工事が容易になり、有利である。
【発明を実施するための最良の形態】
【００１２】
図１、図２は本発明の実施形態のミストサウナ機能付き浴室暖房機を示している。この浴室暖房機は、浴室の天井部に設置される箱形の暖房機本体１を備えている。暖房機本体１内には、暖房機本体１の下面に設けられる下カバー２に形成した吸込み口３を介して浴室内に連通する空気流入室４と、該流入室４に連通する暖房用通風路５とが設けられている。暖房用通風路５の下流端には、浴室内に向けて下向きに開口する暖房用吹き出し口６が設けられており、この吹出し口６に可変ルーバ６ａが装着されている。
【００１３】
また、暖房用通風路５には暖房用ファン７が介設されている。この暖房用ファン７の回転により、浴室の空気が吸込み口３から空気流入室４を介して暖房用通風路５に吸込まれて、暖房用吹き出し口６から浴室内に吹き出される。即ち、浴室の空気が暖房用通風路５を介して循環される。
【００１４】
また、暖房用通風路５の上流側の空気流入室４に対する連通部には、図外の熱源機から供給される熱媒体(水、不凍液等)の熱で空気を加熱する加熱手段たる放熱器８が設けられている。放熱器８に熱媒体を供給すると共に暖房用ファン７を作動させると、浴室の空気が吸込み口３から吸込まれて放熱器８で加熱され、暖房用吹出し口６から温風となって浴室内に送風される。また、可変ルーバ６ａにより温風の送風方向が適宜可変される。
【００１５】
暖房機本体１内には、更に、暖房用通風路５の下側に位置させて、空気流入室４に連通するミスト用通風路９が設けられている。ミスト用通風路９は箱形のダクトで構成されており、ダクトの一側の側壁部９ａは暖房用吹き出し口６の直下部の側方に位置している。そして、この側壁部９ａの上部にミスト用通風路９の下流端のミスト用吹き出し口１０を開設している。かくして、ミスト用吹き出し口１０は、暖房用吹き出し口６の直下部に向けて横向きに開口する。また、ミスト用通風路９の上流側の空気流入室４に対する連通部にミスト用ファン１１が設けられている。そして、ミスト用ファン１１の回転により、浴室の空気が暖房用通風路５だけでなくミスト用通風路９を介しても循環されるようにしている。
【００１６】
また、ミスト用通風路９の上壁面にはミストノズル１２が装着されている。ミストノズル１２に連なる給水路１３にはミスト弁１４と図外の液々熱交換器とが介設されている。そして、液々熱交換器に熱源機からの熱媒体を供給することにより給水路１３に流れる水を加熱し、ミスト弁１４の開弁でミストノズル１２からミスト用通風路９内に温水が噴霧されるようにしている。尚、給水路１３には湯温センサ１５が取り付けられている。
【００１７】
ミスト用通風路９内にミストノズル１２から噴霧されたミストは、ミスト用ファン１１の回転によりミスト用通風路９に生ずる気流に乗ってミスト用吹き出し口１０から吹き出す。ここで、粒径の大きな水滴状のミストは気流に乗り切らず、ミスト用通風路９の壁面(主に底壁面９ｂ)に付着して捕集される。従って、ミスト用吹き出し口１０から吹き出すミストはほぼ粒径の小さなものに限定される。そして、暖房用吹き出し口６から吹き出す温風に暖房用吹き出し口６の直下部においてミスト用吹き出し口１０から吹き出すミストが混入される。そのため、ミスト用ファン１１の送風能力を高くしなくても、ミストは暖房用吹き出し口６からの温風に乗って確実に浴室内に行渡る。
【００１８】
ここで、ミスト用ファン１１の送風能力を高くすると、ミスト用通風路９内の気流が強くなり過ぎて、比較的粒径の大きなミストまでがミスト用吹き出し口６から吹き出されてしまう。これに対し、本実施形態では、浴室内にミストを行渡らせるためにミスト用ファン１１の送風能力を高くする必要がない。そのため、ミスト用ファン１１の送風能力を粒径の大きなミストが浴室内に吹き出されないように比較的低くすることができる。従って、入浴者に粒径の大きなミストがあたって不快感を与えることを確実に防止できる。更に、ミスト用ファン１１を小型化して、浴室暖房機の小型化を図ることができる。
【００１９】
また、ミスト用通風路９の壁面はミストの結露によって濡れた状態になり、ミスト用吹き出し口１０が下向きに開口していると、結露水がミスト用吹き出し口１０から水滴となって浴室内に落下する。これに対し、本実施形態では、ミスト用吹き出し口１０が横向きに開口しているため、該吹き出し口１０からの水滴の落下も防止される。
【００２０】
尚、ミスト用通風路９内にはその壁面で結露した水が溜まる。そこで、本実施形態では、ミスト用通風路９内の水がミスト用吹き出し口１０側の側壁部９ａからオーバーフローして浴室内に落下することを防止するため、ミスト用通風路９内に溜まった水を排水する排水路１６を設けている。そして、排水路１６に排水ポンプ１７を介設している。これによれば、天井裏の梁等の障害物を乗り越えるようにして排水路１６を配設しても、排水ポンプ１７の揚程でミスト用通風路９内の水を排水できる。そのため、排水路１６の配管工事が容易になる。
【００２１】
尚、排水路１６は、ミスト用通風路９のミスト用吹き出し口１０とは反対側の側壁部９ｃの下端に接続されている。そして、ミスト用通風路９の底壁面９ｂに側壁部９ｃに向かう下り勾配を付け、結露水が排水路１６の接続部に集められるようにしている。
【００２２】
上記した暖房用ファン７、ミスト用ファン１１、ミスト弁１４及び排水ポンプ１７は浴室暖房機用のコントローラ１８により制御される。このコントローラ１８には、図外のリモートコントローラと熱源機用のコントローラが通信可能に接続されている。コントローラ１８は、リモートコントローラに設けたミストスイッチがオンされたときにミスト運転制御を実行する。以下、ミスト運転制御について、図３を参照して説明する。
【００２３】
ミスト運転制御では、先ず、Ｓ１のステップで熱源機に作動指令を送り、熱源機で加熱された熱媒体を放熱器８と給水路１３に介設した液々熱交換器とに供給する。次に、Ｓ２のステップで暖房用ファン７を起動させた後、Ｓ３のステップで暖房用ファン７の回転が検出されたか否かを判別する。
【００２４】
暖房用ファン７の回転が検出されると、Ｓ４のステップで湯温センサ１５の検出温度Ｔが所定の予熱完了温度ＹＴ(例えば、６０℃)以上になったか否かを判別する。そして、Ｔ≧ＹＴになったとき、Ｓ５のステップでミスト用ファン１１と排水ポンプ１７とを起動させると共に、ミスト弁１４を開弁させて、ミストノズル１２からの温水噴霧を開始する。
【００２５】
次に、Ｓ６のステップで運転停止指令が出されたか否かを判別する。尚、運転停止指令は、ミストスイッチがオフされたときや、ミストスイッチがオンされてから所定のミスト運転時間が経過したときに出される。運低停止指令が出されると、Ｓ７のステップで熱源機に作動停止指令を送ると共に、暖房用ファン７、ミスト用ファン１１及び排水ポンプ１７を停止させ、更に、ミスト弁１４を閉弁させて、ミスト運転を終了する。また、Ｓ３のステップで暖房用ファン７が回転していないと判別されたときは、Ｓ８のステップでエラー表示を行った後にＳ７のステップに進む。
【００２６】
ここで、暖房用吹き出し口６から空気が吹き出されていない状態でミスト用吹き出し口１０からミストが吹き出されると、暖房用吹き出し口６の周りにミストが結露し、水滴となって浴室内に落下してしまう。これに対し、本実施形態では、Ｓ３のステップでの処理により、暖房用ファン７の回転が検出されない限りミストノズル１２からの温水噴霧が禁止される。従って、暖房用吹き出し口６から空気が吹き出されていない状態でミスト用吹き出し口１０からミストが吹き出されることが防止され、上記の不具合は生じない。
【００２７】
以上、本発明の実施形態について図面を参照して説明したが、本発明はこれに限られない。例えば、上記実施形態では、暖房用通風路５に流れる空気を加熱する加熱手段として放熱器８を用いたが、電気ヒータで加熱手段を構成することも可能である。また、上記実施形態では、ミストノズル１２に液々熱交換器で加熱された温水を供給するようにしたが、給湯器からの温水をミストノズル１２に供給するようにしても良い。
【図面の簡単な説明】
【００２８】
【図１】本発明の実施形態の浴室暖房機の斜め下方から見た斜視図。
【図２】図１のＩＩ−ＩＩ線で切断した断面図。
【図３】実施形態の浴室暖房機で実行するミスト運転制御の内容を示すフロー図
【符号の説明】
【００２９】
１…暖房機本体、５…暖房用通風路、６…暖房用吹き出し口、７…暖房用ファン、８…放熱器(加熱手段)、９…ミスト用通風路、１０…ミスト用吹き出し口、１１…ミスト用ファン、１２…ミストノズル、１６…排水路、１７…排水ポンプ、１８…コントローラ。
【図１】
0004593527.tif 000002
【図２】
0004593527.tif 000003
【図３】
0004593527.tif 000004